(57)【要約】  この発明に係る移動体通信システムは、マルチキャリア無線通信方式で移動体通信端末２００が複数の移動体通信基地局１００と同時に通信するもので、移動体通信基地局１００と移動体通信端末２００間のサブキャリアの回線品質情報を測定する上り回線品質測定部１０８と、測定されたサブキャリアの回線品質情報に基づき、移動体通信基地局１００毎にサブキャリアの割り当てを決定するサブキャリア割当決定部１６とを備えたものである。
2007138650.tif 000002
【特許請求の範囲】
【請求項１】
マルチキャリア無線通信方式で移動体通信端末が複数の移動体通信基地局と同時に通信する移動体通信システムにおいて、
上記移動体通信基地局と上記移動体通信端末間のサブキャリアの回線品質情報を測定する回線品質測定手段と、
該回線品質測定手段により測定されたサブキャリアの回線品質情報に基づき、上記移動体通信基地局毎にサブキャリアの割り当てを決定するサブキャリア割当決定手段とを備えたことを特徴とする移動体通信システム。
【請求項２】
移動体通信基地局が回線品質測定手段を備えたことを特徴とする請求項１項記載の移動体通信システム。
【請求項３】
移動体通信端末が回線品質測定手段を備えたことを特徴とする請求項１項記載の移動体通信システム。
【請求項４】
複数の移動体通信基地局を統合する上位装置がサブキャリア割当決定手段を備えたことを特徴とする請求項１項記載の移動体通信システム。
【請求項５】
移動体通信端末がサブキャリア割当決定手段を備えたことを特徴とする請求項１項記載の移動体通信システム。
【請求項６】
複数の移動体通信基地局を統合する上位装置及び移動体通信基地局がサブキャリア割当決定手段を備えたことを特徴とする請求項１項記載の移動体通信システム。
【請求項７】
マルチキャリア無線通信方式としてＴＤＤ方式又はＦＤＤ方式を使用することを特徴とする請求項１項記載の移動体通信システム。
【請求項８】
回線品質測定手段が回線品質情報としてサブキャリアの受信レベル又はサブキャリアのＳＩＲを測定することを特徴とする請求項１項記載の移動体通信システム。
【請求項９】
回線品質測定手段が回線品質情報としてサブキャリアの受信レベルの平均値を測定し、
サブキャリア割当決定手段が上記回線品質測定手段により測定されたサブキャリアの受信レベルの平均値に基づきサブキャリアの割り当てを決定することを特徴とする請求項１項記載の移動体通信システム。
【請求項１０】
回線品質測定手段が回線品質情報としてサブキャリアの最小受信レベルを測定し、
サブキャリア割当決定手段が上記回線品質測定手段により測定された最小受信レベルに基づきサブキャリアの割り当てを決定することを特徴とする請求項１項記載の移動体通信システム。
【請求項１１】
回線品質測定手段が回線品質情報としてサブキャリアの移動平均値を測定し、
サブキャリア割当決定手段が上記回線品質測定手段により測定されたサブキャリアの移動平均値に基づきサブキャリアの割り当てを決定することを特徴とする請求項１項記載の移動体通信システム。
【請求項１２】
回線品質測定手段が回線品質情報として複数のサブキャリアをまとめたサブキャリアブロックの受信レベルを測定し、
サブキャリア割当決定手段が上記回線品質測定手段により測定されたサブキャリアブロックの受信レベルに基づきサブキャリアの割り当てを決定することを特徴とする請求項１項記載の移動体通信システム。
【請求項１３】
回線品質測定手段が回線品質情報として全サブキャリアの受信レベルで正規化したサブキャリアの受信レベルを測定し、
サブキャリア割当決定手段が上記回線品質測定手段により測定された正規化したサブキャリアの受信レベルに基づきサブキャリアの割り当てを決定することを特徴とする請求項１項記載の移動体通信システム。
【請求項１４】
サブキャリア割当決定手段が一定時間以上通信を継続していた移動体通信基地局を優先してサブキャリアの割り当てを決定することを特徴とする請求項１項記載の移動体通信システム。
【請求項１５】
サブキャリア割当決定手段が複数の移動体通信基地局に代わる代わるサブキャリアの割り当てを決定することを特徴とする請求項１項記載の移動体通信システム。
【請求項１６】
移動体通信端末が複数の移動体通信基地局と同時に同一データのマルチキャリア無線通信を行うことによりソフトハンドオーバを実現することを特徴とする請求項１項記載の移動体通信システム。
【請求項１７】
移動体通信端末が複数の移動体通信基地局と同時に異なるデータのマルチキャリア無線通信を行うことにより周波数利用効率の高いマルチキャリア無線通信を実現することを特徴とする請求項１項記載の移動体通信システム。
【請求項１８】
マルチキャリア無線通信方式で移動体通信端末が複数の移動体通信基地局と同時に通信する移動体通信システムにおいて、
各サブキャリアに付されたサブキャリア番号に基づき、上記移動体通信基地局毎にサブキャリアの割り当てを決定するサブキャリア割当決定手段とを備えたことを特徴とする移動体通信システム。
【発明の詳細な説明】
【技術分野】
【０００１】
この発明はＯＦＤＭ（Orthogonal Frequency Division Multiplexing）通信を行う移動体通信システムに関するものである。
【背景技術】
【０００２】
従来の移動体通信システムおいて、複数の移動体通信基地局と移動体通信端末間の通信の一例であるハンドオーバとして、例えば、特許文献１では、ＣＤＭＡ（Code Division Multiple Access）移動通信システムにおける異周波ハンドオーバ方法が開示されている。【０００３】
この異周波ハンドオーバ方法では、ハンドオーバ元の無線回線フレームに使用されていた周波数帯Ｆ１と同一の周波数帯をハンドオーバ先移動体通信基地局で使用不可能な場合、ハンドオーバ元無線回線フレーム内の使用されていない部分において、ハンドオーバ先の移動体通信基地局で使用可能な周波数帯Ｆ２に切り替えてハンドオーバ先の無線回線として使用している。【０００４】
【特許文献１】特開平１０−１３６４２５号公報（段落０００５）
【０００５】
従来の移動体通信システムは以上のように構成されているので、移動体通信端末の１つの無線回路で時分割に周波数を切り替えて２つの移動体通信基地局間との送受信を行っているが、周波数切替や時間切替が必要であり、移動体通信端末の回路が複雑になりコストが高くなるという課題があった。【０００６】
この発明は上記のような課題を解決するためになされたもので、一つの無線回路を実装した移動体通信端末と複数の移動体通信基地局間のマルチキャリア無線通信を、周波数切替や時間切替が不要で、簡単な構成で、かつ低いコストで実現することができる移動体通信システムを得ることを目的とする。
【発明の開示】
【０００７】
この発明に係る移動体通信システムは、マルチキャリア無線通信方式で移動体通信端末が複数の移動体通信基地局と同時に通信するものにおいて、上記移動体通信基地局と上記移動体通信端末間のサブキャリアの回線品質情報を測定する回線品質測定手段と、該回線品質測定手段により測定されたサブキャリアの回線品質情報に基づき、上記移動体通信基地局毎にサブキャリアの割り当てを決定するサブキャリア割当決定手段とを備えたものである。
【０００８】
この発明により、一つの無線回路を実装した移動体通信端末と複数の移動体通信基地局間のマルチキャリア無線通信を、周波数切替や時間切替が不要で、簡単な構成で、かつ低いコストで実現することできるという効果が得られる。
【図面の簡単な説明】
【０００９】
【図１】この発明の実施の形態１による移動体通信システムの構成を示すブロック図である。
【図２】この発明の実施の形態１による移動体通信システムにおけるサブキャリアの受信レベルを示す図である。
【図３】この発明の実施の形態２による移動体通信システムの構成を示すブロック図である。
【図４】この発明の実施の形態３による移動体通信システムの構成を示すブロック図である。
【図５】この発明の実施の形態４による移動体通信システムの構成を示すブロック図である。
【図６】この発明の実施の形態５による移動体通信システムの構成を示すブロック図である。
【発明を実施するための最良の形態】
【００１０】
以下、この発明をより詳細に説明するために、この発明を実施するための最良の形態について、添付の図面に従って説明する。
実施の形態１．
第１図はこの発明の実施の形態１による移動体通信システムの構成を示すブロック図であり、この実施の形態１では、ＴＤＤ（Time Division Duplex）方式の複数の移動体通信基地局（ＢＴＳ）１００と移動体通信端末（ＭＳ）２００間のマルチキャリア無線通信方式に関し、２台の移動体通信基地局１００と移動体通信端末２００間のＯＦＤＭ通信方式を一例として図示している。【００１１】
この移動体通信システムは上位装置１０、複数の移動体通信基地局１００及び移動体通信端末２００を備え、上位装置１０は複数の移動体通信基地局１００を統合して有線ネットワークで同時通信を行い、各移動体通信基地局１００は上位装置１０と通信すると共に移動体通信端末２００と無線ネットワークで通信する。移動体通信端末２００は複数の移動体通信基地局１００と同時通信を行う。【００１２】
複数の移動体通信基地局１００と移動体通信端末２００間の同時通信は、同じデータを通信することにより移動体通信端末２００が移動元の移動体通信基地局１００及び移動先の移動体通信基地局１００と同時に通信を行った後にチャネルを切り替えるソフトハンドオーバに適用できると共に、異なるデータを回線品質が良いサブキャリアを選択して通信することにより、周波数利用効率の高い通信、例えばＴＤＤ方式のＯＦＤＭ通信に適用できる。【００１３】
なお、ソフトハンドオーバとは、複数の移動体通信基地局１００のセル・エッジを移動している移動体通信端末２００が複数の移動体通信基地局１００と同期して同じデータを通信することにより、シームレスに通信を継続しながら、ある移動体通信基地局１００から別の移動体通信基地局１００へ通信を移行する技術である。【００１４】
第１図に示す上位装置１０は、サブキャリア割当多重部１１、下りデータ送信部１２、インタフェース部１３、上りデータ受信部１４、上り品質情報解析部１５、サブキャリア割当決定部（サブキャリア割当決定手段）１６及びサブキャリア割当指示部１７を備えている。【００１５】
上位装置１０において、サブキャリア割当多重部１１は下りデータにサブキャリア割当指示部１７からのサブキャリア割当情報を多重し、下りデータ送信部１２は下りデータを移動体通信基地局数に応じて出力する。【００１６】
インタフェース部１３は下りデータをネットワーク通信に適した形式に変換処理して複数の移動体通信基地局１００に送信すると共に、複数の移動体通信基地局１００からの上りデータを受信して装置内処理に適した形式に変換する。【００１７】
上り品質情報解析部１５は複数の上りデータから上り回線品質情報を読み出し、上りデータ受信部１４は、複数の上りデータが同一データの場合に、上り回線品質情報に基づき、上り回線品質が最も高い上りデータを選択して出力し、複数の上りデータが異なるデータの場合には、全ての上りデータを出力する。【００１８】
サブキャリア割当決定部１６は、移動体通信基地局１００毎に、上り回線品質情報に基づき、回線品質が良いサブキャリアを重複しないように、どのサブキャリアにどの移動体通信端末２００宛の下りデータを割り当てるかを決定する。サブキャリア割当指示部１７は決定されたサブキャリア割当情報を下りデータに多重される形式に変換してサブキャリア割当多重部１１に出力する。【００１９】
第１図に示す複数の移動体通信基地局１００は、インタフェース部１０１、サブキャリア割当解析部１０２、下りサブキャリア割当部１０３、サブキャリア割当多重部１０４、下りＯＦＤＭ変調部１０５、無線部１０６、上りＯＦＤＭ復調部１０７、上り回線品質測定部（回線品質測定手段）１０８、上りサブキャリア抽出部１０９及び上り品質情報多重部１１０をそれぞれ備えている。【００２０】
各移動体通信基地局１００において、インタフェース部１０１は送信された下りデータを装置内処理に適した形式に変換処理すると共に、上りデータをネットワーク通信に適した形式に変換処理して送信する。サブキャリア割当解析部１０２は下りデータに多重されているサブキャリア割当情報を読み出す。【００２１】
下りサブキャリア割当部１０３は、サブキャリア割当情報に基づき、使用するサブキャリアに該当の移動体通信端末２００宛の下りデータがくるように下りデータを並べ替えることにより下りデータにサブキャリアを割り当てる。サブキャリア割当多重部１０４は下りデータに読み出されたサブキャリア割当情報を多重する。【００２２】
下りＯＦＤＭ変調部１０５は下りデータをＯＦＤＭ変調し、無線部１０６はＯＦＤＭ変調された下りデータを無線信号として移動体通信端末２００に送信すると共に、移動体通信端末２００から無線信号として送信された上りデータを受信する。【００２３】
上りＯＦＤＭ復調部１０７は受信された上りデータをＯＦＤＭ復調し、上り回線品質測定部１０８は上り方向のサブキャリアの受信レベルを上り回線品質情報として測定し、上りサブキャリア抽出部１０９は、読み出されたサブキャリアの割当情報に基づき、移動体通信端末２００からの上りデータをサブキャリアから抽出する。上り品質情報多重部１１０は上りデータに上り回線品質測定部１０８により測定された上り回線品質情報を多重する。【００２４】
第１図に示す移動体通信端末２００は、無線部２０１、下りＯＦＤＭ復調部２０２、サブキャリア割当解析部２０３、下りサブキャリア抽出部２０４、上りサブキャリア割当部２０５及び上りＯＦＤＭ変調部２０６を備えている。【００２５】
移動体通信端末２００において、無線部２０１は複数の移動体通信基地局１００から無線信号として送信された下りデータを受信すると共に、ＯＦＤＭ変調された上りデータを無線信号として複数の移動体通信基地局１００に送信する。下りＯＦＤＭ復調部２０２は下りデータをＯＦＤＭ復調する。【００２６】
サブキャリア割当解析部２０３は下りデータに多重されているサブキャリア割当情報を読み出す。下りサブキャリア抽出部２０４は、読み出されたサブキャリア割当情報に基づき、下りデータを並べ替えることによりサブキャリアを割り当てて自機宛の下りデータを抽出する。【００２７】
上りサブキャリア割当部２０５は、読み出されたサブキャリア割当情報に基づき、使用するサブキャリアに自機の上りデータがくるように上りデータを並べ替えることにより上りデータにサブキャリアを割り当てる。上りＯＦＤＭ変調部２０６は上りデータをＯＦＤＭ変調する。【００２８】
次に動作について説明する。
最初に上位装置１０から移動体通信端末２００への下りデータの通信について説明する。
上位装置１０おいて、サブキャリア割当多重部１１は移動体通信端末２００に送信する下りデータにサブキャリア割当指示部１７からのサブキャリア割当情報を多重する。このサブキャリア割当情報には、移動体通信基地局１００毎にどのサブキャリアにどの移動体通信端末２００宛の下りデータを割り当てるかが指定されている。【００２９】
下りデータ送信部１２はサブキャリア割当多重部１１によりサブキャリア割当情報が多重された下りデータを移動体通信基地局数に応じて複数出力し、インタフェース部１３は下りデータ送信部１２からの複数の下りデータをネットワーク通信に適した形式に変換処理して複数の移動体通信基地局１００に送信する。【００３０】
各移動体通信基地局１００において、インタフェース部１０１は上位装置１０から送信された下りデータを受信して装置内処理に適した形式に変換し、サブキャリア割当解析部１０２は、インタフェース部１０１により装置内処理に適した形式に変換された下りデータに多重されているサブキャリア割当情報を読み出す。【００３１】
下りサブキャリア割当部１０３は、サブキャリア割当解析部１０２により読み出されたサブキャリア割当情報に基づき、使用するサブキャリアに該当の移動体通信端末２００宛の下りデータがくるように下りデータを並べ替えることにより下りデータにサブキャリアを割り当てる。サブキャリア割当多重部１０４は下りサブキャリア割当部１０３によりサブキャリアが割り当てられた下りデータにサブキャリア割当解析部１０２により読み出されたサブキャリア割当情報を多重する。【００３２】
下りＯＦＤＭ変調部１０５はサブキャリア割当多重部１０４によりサブキャリアが割り当てられた下りデータをＯＦＤＭ変調し、無線部１０６はＯＦＤＭ変調部１０５によりＯＦＤＭ変調された下りデータを無線信号として移動体通信端末２００に送信する【００３３】
移動体通信端末２００において、無線部２０１は複数の移動体通信基地局１００から無線信号として送信された複数の下りデータを受信し、下りＯＦＤＭ復調部２０２は無線部２０１により受信された複数の下りデータをＯＦＤＭ復調する。【００３４】
サブキャリア割当解析部２０３は、下りＯＦＤＭ復調部２０２によりＯＦＤＭ復調された複数の下りデータに多重されているサブキャリア割当情報を読み出す。下りサブキャリア抽出部２０４は、自機宛の下りデータが多重されている位置を判断するために、サブキャリア割当解析部２０３により読み出されたサブキャリア割当情報に基づき、下りＯＦＤＭ復調部２０２によりＯＦＤＭ復調された複数の下りデータをそれぞれ並べ替えることによりサブキャリアを割り当てて自機宛の複数の下りデータを抽出する。【００３５】
次に移動体通信端末２００から上位装置１０への上りデータの通信について説明する。
移動体通信端末２００において、上りサブキャリア割当部２０５は、サブキャリア割当解析部２０３により読み出されたサブキャリア割当情報に基づき、使用するサブキャリアに自機の上りデータがくるように上りデータを並べ替えることにより上りデータにサブキャリアを割り当てる。【００３６】
上りＯＦＤＭ変調部２０６は上りサブキャリア割当部２０５によりサブキャリアが割り当てられた上りデータをＯＦＤＭ変調する。無線部２０１は上りＯＦＤＭ変調部２０６によりＯＦＤＭ変調された上りデータを無線信号として複数の移動体通信基地局１００に送信する。【００３７】
各移動体通信基地局１００において、無線部１０６は移動体通信２００から無線信号として送信されたＯＦＤＭ変調された上りデータを受信し、上りＯＦＤＭ復調部１０７は無線部１０６により受信された上りデータをＯＦＤＭ復調する。【００３８】
上り回線品質測定部１０８は上り方向のサブキャリアの受信レベルを上り回線品質情報として測定する。移動体通信基地局１００の上り回線品質測定部１０８が測定する対象を、受信レベルの代わりにＳＩＲ（Signal to Interference Ratio）としても良い。受信レベルの測定は簡略であるが、ＳＩＲの測定ではより正確に回線品質を判定することが可能である。【００３９】
上りサブキャリア抽出部１０９は、サブキャリア割当解析部１０２により読み出されたサブキャリアの割当情報に基づき、移動体通信端末２００からの上りデータをサブキャリアから抽出する。上り品質情報多重部１１０は上りサブキャリア抽出部１０９により抽出された上りデータに、上り回線品質測定部１０８により測定された上り回線品質情報を多重し、インタフェース部１０１は上り品質情報多重部１１０からの上りデータをネットワーク通信に適した形式に変換処理して上位装置１０に送信する。【００４０】
上位装置１０において、インタフェース部１３は複数の移動体通信基地局１００からの複数の上りデータを受信して装置内処理に適した形式に変換し、上り品質情報解析部１５はインタフェース部１３により装置内処理に適した形式に変換された複数の上りデータに多重されている複数の上り回線品質情報を読み出す。上りデータ受信部１４は、上りデータが同一データの場合に、上り品質情報解析部１５により読み出された各上り回線品質情報に基づき、上り回線品質が最も高い上りデータを選択して出力し、複数の上りデータが異なるデータの場合には、全ての上りデータを出力する。【００４１】
サブキャリア割当決定部１６は、移動体通信基地局毎に、上り品質情報解析部１５により読み出された上り回線品質情報に基づき、回線品質が良いサブキャリアを重複しないように、どのサブキャリアにどの移動体通信端末２００宛の下りデータを割り当てるかを決定する。サブキャリア割当指示部１７はサブキャリア割当決定部１６により決定されたサブキャリア割当情報を下りデータに多重される形式に変換してサブキャリア割当多重部１１に出力する。【００４２】
上りデータと下りデータの内容として、複数の移動体通信基地局１００がソフトハンドオーバに適用する際のように同一データを通信する場合と、周波数利用効率の高い通信に適用する際のように異なるデータを通信する場合がある。【００４３】
同一データを通信する場合に、下り方向の通信において、上位装置１０の下りデータ送信部１２は移動体通信基地局数に応じて下りデータを複製して出力する。移動体通信端末２００の下りサブキャリア抽出部２０４は異なるサブキャリアに割り当てられている同一データをＣＲＣ（Cyclic Redundancy Check）等で正常性を確認して合成する。【００４４】
また、同一データを通信する場合に、上り方向の通信において、移動体通信端末２００の上りサブキャリア割当部２０５は同一データを異なるサブキャリアに割り当てて出力する。上位装置１０の上りデータ受信部１４は上り回線品質情報に基づき、移動体通信基地局１００からの上り回線品質が最も高い上りデータを選択して出力する。【００４５】
さらに、異なるデータを通信する場合に、下り方向の通信において、上位装置１０の下りデータ送信部１２は異なる下りデータを移動体通信基地局１００に順番に割り振って出力する。移動体通信端末２００の下りサブキャリア抽出部２０４は異なるサブキャリアに割り当てられている異なる下りデータを順番に出力する。【００４６】
さらに、異なるデータを通信する場合に、上り方向の通信において、移動体通信端末２００の上りサブキャリア割当部２０５は異なる上りデータを異なるサブキャリアに順番に割り当てて出力する。上位装置１０の上りデータ受信部１４は異なる上りデータを順番に出力する。【００４７】
移動体通信基地局１００及びサブキャリアへのデータ割り振り方法の実施例として、到着したデータから順番に割り振る例とデータ種別毎に整列するように順序制御を行って割り振る例がある。複数の移動体通信基地局１００の回線品質の高いサブキャリアを利用して通信するので、移動体通信端末２００にとって高い回線品質で利用できる周波数帯域が増加する効果がある。【００４８】
移動体通信基地局１００の上り回線品質測定部１０８及び上位装置１０のサブキャリア割当決定部１６の動作の実施例を以下に説明する。
上述のように、上り回線品質測定部１０８は上り方向のサブキャリアの受信レベルを測定して上り回線品質情報を出力し、サブキャリア割当決定部１６は、移動体通信基地局１００毎に、上り回線品質情報に基づき、回線品質が良いサブキャリアを重複しないように、どのサブキャリアにどの移動体通信端末２００宛の下りデータを割り当てるかを決定しているが、以下に示す上り回線品質測定部１０８及びサブキャリア割当決定部１６の動作は、初期状態においてサブキャリアを割り当てる場合や、空いているサブキャリアを追加割り当てする場合や、使用しているサブキャリアを再割り当てする場合に適用するものである。【００４９】
実施例１．
移動体通信基地局１００の上り回線品質測定部１０８は全サブキャリアの受信レベルの平均値及びサブキャリア毎の受信レベルを上り回線品質情報として測定する。上位装置１０のサブキャリア割当決定部１６は、移動体通信基地局１００毎に、受信レベルが全サブキャリアの受信レベルの平均値以下であるサブキャリアを移動体通信基地局１００間で重複しないように割り当てる。【００５０】
ここで、全サブキャリアの受信レベルの平均値以下であるサブキャリアを割り当てるのは、他の通信、例えば他の移動体通信基地局１００や他の上位装置１０により統合されている移動体通信システムで、使用されていない空きサブキャリアとなっている可能性が大きいからである。このように、平均値を算出しておくことで、個々の受信レベルを平均値と比較することによりサブキャリアの割り当てが可能な空きサブキャリアを判定することができ、サブキャリアの割り当ての計算量を少なくすることが可能である。【００５１】
実施例２．
移動体通信基地局１００の上り回線品質測定部１０８は、全サブキャリア中の最小受信レベル及びサブキャリア毎の受信レベルを上り回線品質情報として測定する。上位装置１０のサブキャリア割当決定部１６は、移動体通信基地局１００毎に、受信レベルが最小受信レベルから一定値以内であるサブキャリアを移動体通信基地局１００間で重複しないように割り当てる。ここで、最小受信レベルから一定値以内であるサブキャリアを割り当てるのは、他の通信で使用されていない空きサブキャリアとなっている可能性が大きいからである。【００５２】
第２図はサブキャリアの受信レベルを示す図である。使用しているサブキャリアが多い場合、上記実施例１では平均値が大きくなり、ノイズが大きいサブキャリア又は使用しているが減衰して平均以下となっているサブキャリアを通信に割り当てる可能性がある。最小受信レベルから一定値以内の受信レベルであるサブキャリアを通信に割り当てることにより、使用しているサブキャリアが現在どのような状態になっているかに関係なくサブキャリアの割り当てが行えるので、より高品質な通信が可能である。【００５３】
実施例３．
移動体通信基地局１００の上り回線品質測定部１０８はサブキャリア毎の受信レベルの移動平均値を上り回線品質情報として測定する。上位装置１０サブキャリア割当決定部１６は、移動体通信基地局１００毎に、受信レベルの移動平均値が低いサブキャリアを移動体通信基地局１００間で重複しないように割り当てる。ここで、移動平均値が低いサブキャリアを割り当てるのは、他の通信で使用されていない空きサブキャリアとなっている可能性が大きいからである。【００５４】
実施例４．
移動体通信基地局１００の上り回線品質測定部１０８は、サブキャリアを周波数帯域毎に数ブロックに分けて、複数のサブキャリアをまとめたサブキャリアブロックの受信レベル、例えばブロック内のサブキャリアの受信レベルの加算値又は平均値を算出する。【００５５】
そして、上り回線品質測定部１０８は、算出したサブキャリアブロックの受信レベルを、上記実施例１における各サブキャリアの受信レベルと置き換えて、全サブキャリアの受信レベルの平均値とサブキャリアブロックの受信レベルを上り回線品質情報として測定し、上位装置１０のサブキャリア割当決定部１６は、移動体通信基地局１００毎に、受信レベルが全サブキャリアの平均値以下であるサブキャリアブロックを移動体通信基地局１００間で重複しないように割り当てる。【００５６】
また、他の方法として、上り回線品質測定部１０８は、算出したサブキャリアブロックの受信レベルを、上記実施例２における各サブキャリアの受信レベルと置き換えて、全サブキャリア中の最小受信レベル及びサブキャリアブロックの受信レベルを上り回線品質情報として測定し、上位装置１０のサブキャリア割当決定部１６は、移動体通信基地局１００毎に、受信レベルが最小受信レベルから一定値以内であるサブキャリアブロックを移動体通信基地局１００間で重複しないように割り当てるようにしても良い。【００５７】
さらに、他の方法として、上り回線品質測定部１０８は、算出したサブキャリアブロックの受信レベルの移動平均値を求め、上記実施例３における各サブキャリアの受信レベルの移動平均値と置き換えて、サブキャリアブロックの受信レベルの移動平均値を上り回線品質情報として測定し、上位装置１０のサブキャリア割当決定部１６は、移動体通信基地局１００毎に、受信レベルの移動平均値が低いサブキャリアブロックを移動体通信基地局１００間で重複しないように割り当てても良い。【００５８】
上記実施例１から上記実施例３のように、サブキャリア毎に割り当てを決定することで、回線品質情報が良いサブキャリアは固まらずにバラけて存在していると想定されるのでバラけたサブキャリアの割り当てとなり、フェージングに強い通信を実現することができるが、この実施例４ではサブキャリア番号が連続した固まったサブキャリアを割り当てることになり、直交度が確保され信頼度の高い通信が可能である。【００５９】
実施例５．
移動体通信基地局１００の上り回線品質測定部１０８は、各サブキャリアの受信レベルを全サブキャリアの受信レベルで正規化する。【００６０】
そして、上り回線品質測定部１０８は、サブキャリアの正規化した受信レベルを、上記実施例１における各サブキャリアの受信レベルと置き換えて、全サブキャリアの受信レベルの平均値とサブキャリアの正規化した受信レベルを上り回線品質情報として測定し、上位装置１０のサブキャリア割当決定部１６は、移動体通信基地局１００毎に、正規化した受信レベルが全サブキャリアの平均値以下であるサブキャリアを移動体通信基地局１００間で重複しないように割り当てる。【００６１】
また、他の方法として、上り回線品質測定部１０８は、サブキャリアの正規化した受信レベルを、上記実施例２における各サブキャリアの受信レベルと置き換えて、全サブキャリア中の最小受信レベル及びサブキャリの正規化した受信レベルを上り回線品質情報として測定し、上位装置１０のサブキャリア割当決定部１６は、移動体通信基地局１００毎に、正規化した受信レベルが最小受信レベルから一定値以内であるサブキャリアブロックを移動体通信基地局１００間で重複しないように割り当てるようにしても良い。【００６２】
さらに、他の方法として、上り回線品質測定部１０８は、サブキャリアの正規化した受信レベルの移動平均値を求め、上記実施例３における各サブキャリアの受信レベルの移動平均値と置き換えて、サブキャリアの正規化した受信レベルの移動平均値を上り回線品質情報として測定し、上位装置１０のサブキャリア割当決定部１６は、移動体通信基地局１００毎に、正規化した受信レベルの移動平均値が低いサブキャリアブロックを移動体通信基地局１００間で重複しないように割り当てても良い。【００６３】
この実施例５のように、各サブキャリアの受信レベルを全サブキャリアの受信レベルで正規化することで、各移動体通信基地局１００で基準を合わせた平等なサブキャリアの割り当てが可能となる。【００６４】
実施例６．
上記実施例１から上記実施例５において、移動体通信端末２００の移動前と移動後で通信に利用する移動体通信基地局１００が変化する場合に、上位装置１０のサブキャリア割当決定部１６は、移動体通信基地局１００間でサブキャリアの割り当てが重複しないように、移動前の一定時間以上通信を継続していた移動体通信基地局１００のサブキャリアを優先して割り当てる。【００６５】
この実施例６のように、移動体通信基地局１００に優先順位を付けてサブキャリアを割り当てることにより、各移動体通信基地局１００の領域の境界付近における通信において、通信を担当する移動体通信基地局１００が頻繁に交代することがなく、サブキャリアの割り当てに伴う制御信号を削減することが可能である。【００６６】
実施例７．
上記実施例１から上記実施例５において、上位装置１０のサブキャリア割当決定部１６は、複数の移動体通信基地局１００間で代わる代わるサブキャリアを割り当てる。例えば、サブキャリア割当決定部１６は２つの移動体通信基地局１００間では交互にサブキャリアを割り当てる。【００６７】
この実施例７のように、複数の移動体通信基地局１００間で代わる代わるサブキャリアを割り当てることにより、移動体通信基地局１００間で平等なサブキャリアの割り当てが可能である。【００６８】
以上のように、この実施の形態１によれば、各移動体通信基地局１００の上り回線品質測定部１０８が移動体通信端末２００からの上り方向のサブキャリアの受信レベルを上り回線品質情報として測定し、各移動体通信基地局１００の上り品質情報多重部１１０が上りデータに上り回線品質情報を多重し、上位装置１０の上り品質情報解析部１５が上りデータに多重されている上り回線品質情報を読み出し、上位装置１０のサブキャリア割当決定部１６が上り回線品質情報に基づき下りデータのサブキャリアの割り当てを決定することにより、一つの無線回路を実装した移動体通信端末と複数の移動体通信基地局間のマルチキャリア無線通信を、周波数切替や時間切替が不要で、簡単な構成で、かつ低いコストで実現することができるという効果が得られる。【００６９】
また、この実施の形態１によれば、上位装置１０のサブキャリア割当決定部１６が上り回線品質情報に基づき下りデータのサブキャリアの割り当てを決定することにより、それぞれ通信環境が良好なサブキャリアを使用することができ、周波数効率の良いマルチキャリア無線通信を実現することができるという効果が得られる。【００７０】
実施の形態２．
第３図はこの発明の実施の形態２による移動体通信システムの構成を示すブロック図であり、この実施の形態２では、ＦＤＤ（Frequency Division Duplex）方式の複数の移動体通信基地局３００と移動体通信端末４００間のマルチキャリア無線通信方式に関し、２台の移動体通信基地局３００と移動体通信端末４００間のＯＦＤＭ通信方式を一例として図示している。【００７１】
この移動体通信システムは、上位装置３０、複数の移動体通信基地局３００及び移動体通信端末４００を備え、上位装置３０は複数の移動体通信基地局３００を統合して有線ネットワークで同時通信を行い、各移動体通信基地局３００は上位装置３０と通信すると共に移動体通信端末４００と無線ネットワークで通信する。移動体通信端末４００は複数の移動体通信基地局３００と同時通信を行う。【００７２】
第３図に示す上位装置３０は、下りデータ送信部３１、インタフェース部３２、上りデータ受信部３３及び上り品質情報解析部３４を備えている。【００７３】
上位装置３０において、下りデータ送信部３１は下りデータを移動体通信基地局数に応じて複数出力し、インタフェース部３２は、下りデータをネットワーク通信に適した形式に変換して複数の移動体通信基地局３００に送信すると共に、複数の移動体通信基地局３００からの上りデータを受信して装置内処理に適した形式に変換する。【００７４】
上り品質情報解析部３４は上りデータから上り回線品質情報を読み出し、上りデータ受信部３３は、複数の上りデータが同一データの場合に、上り回線品質情報に基づき、上り回線品質が最も高い上りデータを選択して出力し、複数の上りデータが異なるデータの場合には、全ての上りデータを出力する。【００７５】
第３図に示す各移動体通信基地局３００は、インタフェース部３０１、下りサブキャリア割当部３０２、上り品質情報多重部３０３、下りＯＦＤＭ変調部３０４、無線部３０５、上りＯＦＤＭ復調部３０６、下りサブキャリア割当解析部３０７、上り回線品質測定部（回線品質測定手段）３０８、上りサブキャリア割当解析部３０９、上りサブキャリア抽出部３１０及び上り品質情報多重部３１１を備えている。【００７６】
各移動体通信基地局３００において、インタフェース部３０１は送信された下りデータを装置内処理に適した形式に変換処理すると共に、上りデータをネットワーク通信に適した形式に変換処理して送信する。下りサブキャリア割当部３０２は、下りサブキャリア割当解析部３０７からの下りサブキャリア割当情報に基づき、使用するサブキャリアに該当の移動体通信端末４００宛の下りデータがくるように下りデータを並べ替えることにより下りデータにサブキャリアを割り当てる。【００７７】
上り品質情報多重部３０３は下りデータに上り回線品質測定部３０８により測定された上り回線品質情報を多重する。下りＯＦＤＭ変調部３０４は下りデータをＯＦＤＭ変調し、無線部３０５はＯＦＤＭ変調された下りデータを無線信号として移動体通信端末４００に送信すると共に、移動体通信端末４００から無線信号として送信されたＯＦＤＭ変調された上りデータを受信する。【００７８】
上りＯＦＤＭ復調部３０６は受信された上りデータをＯＦＤＭ復調し、下りサブキャリア割当解析部３０７は上りデータに多重されている下りサブキャリア割当情報を読み出す。上り回線品質測定部３０８は上り方向のサブキャリアの受信レベルを上り回線品質情報として測定する。【００７９】
上りサブキャリア割当解析部３０９は上りデータに多重されている上りサブキャリア割当情報を読み出す。上りサブキャリア抽出部３１０は、読み出された上りサブキャリア割当情報に基づき、上りデータをサブキャリアから抽出する。上り品質情報多重部３１１は上りデータに上り回線品質測定部３０８により測定された上り回線品質情報を多重する。【００８０】
第３図に示す移動体通信端末４００は、無線部４０１、下りＯＦＤＭ復調部４０２、下り回線品質測定部（回線品質測定手段）４０３、下りサブキャリア割当決定部（サブキャリア割当決定手段）４０４、下りサブキャリア割当指示部４０５、下りサブキャリア抽出部４０６、上り品質情報解析部４０７、上りサブキャリア割当決定部（サブキャリア割当決定手段）４０８、上りサブキャリア割当指示部４０９、上りサブキャリア割当部４１０、上りサブキャリア割当多重部４１１、下りサブキャリア割重部４１２及び上りＯＦＤＭ変調部４１３を備えている。【００８１】
移動体通信端末４００において、無線部４０１は複数の移動体通信基地局３００から無線信号として送信された下りデータを受信すると共に、ＯＦＤＭ変調された上りデータを無線信号として複数の移動体通信基地局３００に送信する。下りＯＦＤＭ復調部４０２は下りデータをＯＦＤＭ復調し、下り回線品質測定部４０３は下り方向のサブキャリアの受信レベルを下り回線品質情報として測定する。【００８２】
下りサブキャリア割当決定部４０４は下り回線品質情報に基づき下りサブキャリアの割り当てを決定する。下りサブキャリア割当指示部４０５は決定された下りサブキャリアの割り当てを下りサブキャリア抽出部４０６に指示すると共に、決定された下りサブキャリア割当情報を上りデータに多重される形式に変換して下りサブキャリア割当多重部４１２に出力する。下りサブキャリア抽出部４０６は下りサブキャリアの割当情報に基づき下りデータを並べ替えて出力する。【００８３】
上り品質情報解析部４０７は下りデータに多重されている上り回線品質情報を読み出す。上りサブキャリア割当決定部４０８は上り回線品質情報に基づき上りサブキャリアの割り当てを決定する。上りサブキャリア割当指示部４０９は上りサブキャリア割当情報を上りデータに多重される形式へ変換すると共に上りサブキャリアの割り当てを指示する。【００８４】
上りサブキャリア割当部４１０は、上りサブキャリアの割当情報に基づき、使用するサブキャリアに上りデータが来るように上りデータを並べ替えることにより上りデータにサブキャリアを割り当てる。上りサブキャリア割当多重部４１１は上りデータに上りサブキャリア割当情報を多重する。下りサブキャリア割当多重部４１２は上りデータに下りサブキャリア割当情報を多重する。上りＯＦＤＭ変調部４１３は上りデータをＯＦＤＭ変調する。【００８５】
次に動作について説明する。
最初に上位装置３０から移動体通信端末４００への下りデータの通信について説明する。
上位装置３０において、下りデータ送信部３１は下りデータを移動体通信基地局数に応じて複数出力し、インタフェース部３２は下りデータ送信部３１からの複数の下りデータをネットワーク通信に適した形式に変換処理して複数の移動体通信基地局３００に送信する。【００８６】
各移動体通信基地局３００において、下りサブキャリア割当解析部３０７は上りＯＦＤＭ復調部３０６によりＯＦＤＭ復調された上りデータに多重されている下りサブキャリア割当情報を読み出す。上り回線品質測定部３０８は上り方向のサブキャリアの受信レベルを上り回線品質情報として測定する。【００８７】
インタフェース部３０１は上位装置３０から送信された下りデータを受信して装置内処理に適した形式に変換する。下りサブキャリア割当部３０２は、下りサブキャリア割当解析部３０７により読み出されたサブキャリア割当情報に基づき、使用するサブキャリアに該当の移動体通信端末４００宛の下りデータがくるように下りデータを並べ替えることにより下りデータにサブキャリアを割り当てる。【００８８】
上り品質情報多重部３０３は下りサブキャリア割当部３０２によりサブキャリアが割り当てられた下りデータに上り回線品質測定部３０８により測定された上り回線品質情報を多重する。下りＯＦＤＭ変調部３０４は上り品質情報多重部３０３により上り回線品質情報が多重された下りデータをＯＦＤＭ変調し、無線部３０５は下りＯＦＤＭ変調部３０４によりＯＦＤＭ変調された下りデータを無線信号として移動体通信端末４００に送信する。【００８９】
移動体通信端末４００において、無線部４０１は複数の移動体通信基地局３００から無線信号として送信された複数の下りデータを受信し、下りＯＦＤＭ復調部４０２は無線部４０１により受信された複数の下りデータをＯＦＤＭ復調する。【００９０】
下り回線品質測定部４０３は下り方向のサブキャリアの受信レベルを下り回線品質情報として測定する。下りサブキャリア割当決定部４０４は、下り回線品質測定部４０３により測定された下り方向のサブキャリアの下り回線品質情報に基づき、回線品質が良いサブキャリアを重複しないように、どのサブキャリアにどの移動体基地局３００からの下りデータを割り当てるかを決定する。このサブキャリアの割り当て決定方法は上記実施の形態１における実施例１から実施例７を適用できる。【００９１】
下りサブキャリア割当指示部４０５は、下りサブキャリア割当決定部４０４により決定された下りサブキャリア割当情報を下りサブキャリア抽出部４０６に出力すると共に、下りサブキャリア割当情報を上りデータに多重される形式に変換して下りサブキャリア割当多重部４１２に出力する。【００９２】
下りサブキャリア抽出部４０６は、自機宛の下りデータが多重されている位置を判断するために、下りサブキャリア割当指示部４０５からの下りサブキャリア割当情報に基づき、下りＯＦＤＭ復調部４０２によりＯＦＤＭ復調された複数の下りデータをそれぞれ並べ替えることによりサブキャリアを割り当てて自機宛の複数の下りデータを抽出する。【００９３】
次に移動体通信端末４００から上位装置３０への上りデータの通信について説明する。
移動体通信端末４００において、上り品質情報解析部４０７は、下りＯＦＤＭ復調部４０２によりＯＦＤＭ復調された下りデータに多重されている上り回線品質情報を読み出す。上りサブキャリア割当決定部４０８は、上り品質情報解析部４０７により読み出された上り回線品質情報に基づき、回線品質が良いサブキャリアを重複しないように、どのサブキャリアに自機の上りデータを割り当てるかを決定する。このサブキャリアの割り当て決定方法は上記実施の形態１における実施例１から実施例７を適用できる。【００９４】
上りサブキャリア割当指示部４０９は、上りサブキャリア割当決定部４０８により決定された上りサブキャリア割当情報をサブキャリア割当多重部４１１に出力すると共に、決定された上りサブキャリア割当情報を上りデータに多重される形式に変換し上りサブキャリア割当部４１０に出力する。【００９５】
上りサブキャリア割当部４１０は、上りサブキャリア割当指示部４０９からの上りサブキャリア割当情報に基づき、使用するサブキャリアに自機の上りデータがくるように上りデータを並べ替えることにより上りデータにサブキャリアを割り当てる。【００９６】
上りサブキャリア割当多重部４１１は上りサブキャリア割当部４１０によりサブキャリアが割り当てられた上りデータに上りサブキャリア割当指示部４０９からの上りサブキャリア割当情報を多重し、下りサブキャリア割当多重部４１２は上りデータに下りサブキャリア割当指示部４０５からの下りサブキャリア割当情報を多重する。【００９７】
上りＯＦＤＭ変調部４１３は下りサブキャリア割当多重部４１２からの上りデータをＯＦＤＭ変調し、無線部４０１は上りＯＦＤＭ変調部４１３によりＯＦＤＭ変調された上りデータを無線信号として複数の移動体通信基地局３００に送信する。【００９８】
各移動体通信基地局３００において、無線部３０５は移動体通信端末４００から無線信号として送信されたＯＦＤＭ変調された上りデータを受信し、上りＯＦＤＭ復調部３０６は無線部３０５により受信された上りデータをＯＦＤＭ復調する。【００９９】
上り回線品質測定部３０８は上り方向のサブキャリアの受信レベルを上り回線品質情報として測定する。上りサブキャリア割当解析部３０９は上りＯＦＤＭ復調部３０６によりＯＦＤＭ復調された上りデータに多重されている上りサブキャリア割当情報を読み出す。【０１００】
上りサブキャリア抽出部３１０は、上りサブキャリア割当解析部３０９により読み出された上りサブキャリア割当情報に基づき、移動体通信端末４００からの上りデータをサブキャリアから抽出する。上り品質情報多重部３１１は上りサブキャリア抽出部３１０により抽出された上りデータに上り回線品質測定部３０８により測定された上り回線品質情報を多重し、インタフェース部３０１は上り品質情報多重部３１１からの上りデータをネットワーク通信に適した形式に変換処理して上位装置３０に送信する。【０１０１】
上位装置３０において、インタフェース部３２は複数の移動体通信基地局３００からの上りデータを受信して装置内処理に適した形式に変換する。上り品質情報解析部３４は、インタフェース部３２により装置内処理に適した形式に変換された複数の上りデータに多重されている複数の上り回線品質情報を読み出す。上りデータ受信部３３は、上りデータが同一データの場合に、上り品質情報解析部３４により読み出された各上り回線品質情報に基づき、上り回線品質が最も高い上りデータを受信し、複数の上りデータが異なるデータの場合には、全ての上りデータを受信する。受信された上りデータには上りサブキャリア割当情報及び下りサブキャリア割当情報も多重されている。【０１０２】
同一データを通信する場合に、下り方向の通信において、上位装置３０の下りデータ送信部３１は移動体通信基地局数に応じて下りデータを複製して出力する。移動体通信端末４００の下りサブキャリア抽出部４０６は異なるサブキャリアに割り当てられている同一データをＣＲＣ（Cyclic Redundancy Check）等で正常性を確認して合成する。【０１０３】
また、同一データを通信する場合に、上り方向の通信において、移動体通信端末２００の上りサブキャリア割当部４１０は同一データを異なるサブキャリアに割り当てて出力する。上位装置３０の上りデータ受信部３３は上り回線品質情報に基づき、移動体通信基地局１００からの上り回線品質が最も高い上りデータを選択して受信する。【０１０４】
さらに、異なるデータを通信する場合に、下り方向の通信において、上位装置３０の下りデータ送信部３１は異なる下りデータを移動体通信基地局１００に順番に割り振って出力する。移動体通信端末４００の下りサブキャリア抽出部４０６は異なるサブキャリアに割り当てられている異なる下りデータを順番に出力する。【０１０５】
さらに、異なるデータを通信する場合に、上り方向の通信において、移動体通信端末４００の上りサブキャリア割当部４１０は異なる上りデータを異なるサブキャリアに順番に割り当てて出力する。上位装置３０の上りデータ受信部３３は異なる上りデータを順番に受信する。【０１０６】
以上のように、この実施の形態２によれば、移動体通信端末４００の下り回線品質測定部４０３が各移動体通信基地局３００からの下り方向のサブキャリアの受信レベルを下り回線品質情報として測定し、移動体通信端末４００の下りサブキャリア割当決定部４０４が下り回線品質情報に基づき下りデータのサブキャリアの割り当てを決定し、各移動体通信基地局３００の上り回線品質測定部３０８が移動体通信端末４００からの上り方向のサブキャリアの受信レベルを上り回線品質情報として測定し、各移動体通信基地局３００の上り品質情報多重部３０３が下りデータに上り回線品質情報を多重し、移動体通信端末４００の上り品質情報解析部４０７が下りデータに多重されている上り回線品質情報を読み出し、移動体通信端末４００の上りサブキャリア割当決定部４０８が上り回線品質情報に基づき上りデータのサブキャリアの割り当てを決定することにより、一つの無線回路を実装した移動体通信端末と複数の移動体通信基地局間のマルチキャリア無線通信を、周波数切替や時間切替が不要で、簡単な構成で、かつ低いコストで実現することができるという効果が得られる。【０１０７】
また、この実施の形態２によれば、移動体通信端末４００の下りサブキャリア割当決定部４０４が下り回線品質情報に基づき下りデータのサブキャリアの割り当てを決定し、移動体通信端末４００の上りサブキャリア割当決定部４０８が上り回線品質情報に基づき上りデータのサブキャリアの割り当てを決定することにより、それぞれ通信環境が良好なサブキャリアを使用することができ、周波数効率の良いマルチキャリア無線通信を実現することができるという効果が得られる。【０１０８】
実施の形態３．
第４図はこの発明の実施の形態３による移動体通信システムの構成を示すブロック図である。第４図に示す移動体通信システムは、上記実施の形態１の第１図に示す移動体通信システムにおける上位装置１０の上りデータ受信部１４を上りデータ受信部１８に置き換えたもので、その他の構成は第１図に示す構成と同じである。【０１０９】
上記実施の形態１では、上りデータ受信部１４は、インタフェース部１３により受信された複数の上りデータが同一データの場合に、上り品質情報解析部１５により読み出された各上り回線品質情報に基づき、上り回線品質が最も高い上りデータを選択して出力し、複数の上りデータが異なるデータの場合には、全ての上りデータを出力しているが、第４図における上りデータ受信部１８は、複数の上りデータが同一データの場合に、各上りデータの有線情報であるＣＲＣ等で上りデータの正常性を確認して合成し、複数の上りデータが異なるデータの場合には、全ての上りデータの有線情報であるＣＲＣ等の上りデータの正常性を確認し、正常な上りデータを出力して正常でない上りデータを破棄する。【０１１０】
以上のように、この実施の形態３によれば、上記実施の形態１と同様の効果が得られると共に、上りデータ受信部１８が、無線情報である上り回線品質情報ではなく、有線情報であるＣＲＣ等のデータ正常性を基準に上りデータを受信するため、上位の有線ネットワークと基準を統一したデータ伝送ができるという効果が得られる。【０１１１】
実施の形態４．
第５図はこの発明の実施の形態４による移動体通信システムの構成を示すブロック図である。第５図に示す移動体通信システムは、上記実施の形態３の第４図に示す上位装置１０の上り品質情報解析部１５を削除し、サブキャリア割当決定部１６をサブキャリア割当決定部１９に置き換え、移動体通信基地局１００の上り回線品質測定部１０８及び上り回線品質情報多重部１１０を削除したもので、その他の構成は第４図に示す構成と同じである。【０１１２】
上位装置１０のサブキャリア割当決定部１９は各サブキャリアに付されているサブキャリア番号を基準にサブキャリアの割り当てを決定する。そのため、この実施の形態４では、上記実施の形態３の第４図に示す上位装置１０の上り品質情報解析部１５、移動体通信基地局１００の上り回線品質測定部１０８及び上り回線品質情報多重部１１０は不要となる。【０１１３】
上位装置１０のサブキャリア割当決定部１９によるサブキャリア番号を基準としたサブキャリアの割り当て方法として、上位装置１０の配下に属する移動体通信基地局１００にシリアル番号を割り当て、シリアル番号の降順又は昇順に空きサブキャリアをサブキャリア番号の降順又は昇順から割り当てても良い。また、サブキャリアを割り当てる際にシリアル番号の範囲内で乱数を発生させて、発生した乱数と等しいシリアル番号の移動体通信基地局１００に当該サブキャリアを割り当てても良い。これらの方法では、上り回線品質情報を参照せずに簡単な制御でサブキャリア割当を決定することが可能である。【０１１４】
以上のように、この実施の形態４によれば、上位装置１０のサブキャリア割当決定部１９がサブキャリア番号を基準にサブキャリアの割り当てを決定することにより、一つの無線回路を実装した移動体通信端末と複数の移動体通信基地局間のマルチキャリア無線通信を、周波数切替や時間切替が不要で、簡単な構成で、かつ低いコストで実現することができるという効果が得られる。【０１１５】
実施の形態５．
第６図はこの発明の実施の形態５による移動体通信システムの構成を示すブロック図である。第６図に示す移動体通信システムは、上記実施の形態１の第１図に示す上位装置１０のサブキャリア割当決定部１６をサブキャリア割当決定部２１に置き換え、移動体通信基地局１００にサブキャリア割当決定部１１１を追加したものであり、その他の構成は第１図に示す構成と同じである。【０１１６】
上位装置１０のサブキャリア割当決定部２１は、上り品質情報解析部１５により読み出された各上り品質情報に基づき、比較的長周期に移動体通信基地局１００毎に下りデータのサブキャリアの割り当てを決定してサブキャリア割当情報を出力する。【０１１７】
また、各移動体通信基地局１００のサブキャリア割当決定部１１１は、サブキャリア割当解析部１０２により読み出された長周期のサブキャリア割当情報と上り回線品質測定部１０８により測定された上り回線品質情報に基づき、比較的短周期に下りデータのサブキャリアの割り当てを決定する。【０１１８】
この実施の形態５では、上記実施の形態１のサブキャリア割当決定部１６の機能を上位装置１０と各移動体通信基地局１００に分離することにより処理の効率化を図る例であり、上記実施の形態１のサブキャリア割当決定部１６を上位装置１０のサブキャリア割当決定部２１と各移動体通信基地局１００のサブキャリア割当決定部１１１に機能ブロックを分けている。【０１１９】
上位装置１０のサブキャリア割当決定部２１は、比較的長周期に、例えば１０ｓｅｃ周期に、各移動体通信基地局１００の上り回線品質情報や使用ユーザ数等に基づき隣接移動体通信基地局１００間で周波数が重ならないように、移動体通信基地局１００毎に複数のサブキャリアの割り当てを決定する。サブキャリア割当決定部２１による比較的長周期の複数のサブキャリア割当方法としては、例えば、上記実施の形態１における実施例１から実施例７の割り当て方法が適用できる。【０１２０】
一方、各移動体通信基地局１００のサブキャリア割当決定部１１１は、比較的短周期に、例えば１００ｍｓｅｃ毎にサブキャリアの割り当てを決定する。このとき、サブキャリア割当決定部１１１は上位装置１０から割り当てられた複数のサブキャリア内で自由にサブキャリアの割り当てを決定する。また、移動体通信端末２００との通信において、上り回線品質測定部１０８により測定された受信レベルの小さいサブキャリアから割り当てを行っても良い。ここで、受信レベルの小さいサブキャリアから割り当てを行うのは、他の通信で使用されていない可能性があるからである。【０１２１】
このようなサブキャリアの決定方法を用いることにより、上位装置１０は長周期の制御のみを行うことで制御量を軽減できると共に、上位装置１０と各移動体通信基地局１００間の情報量を軽減でき簡易な上位装置１０で各移動体通信基地局１００を統合できる。一方、長周期で移動体通信基地局１００へのサブキャリアの割り当てを決定することにより、各移動体通信基地局１００は割り当てられたサブキャリアのみを扱えば良く送受信処理を軽減することが可能である。【０１２２】
以上のように、この実施の形態５によれば、上記実施の形態１と同様の効果が得られると共に、上位装置１０のサブキャリア割当決定部２１が、上り品質情報解析部１５により読み出された各上り品質情報に基づき、比較的長周期に移動体通信基地局１００毎にサブキャリアの割り当てを決定し、各移動体通信基地局１００のサブキャリア割当決定部１１１が、サブキャリア割当解析部１０２により読み出された長周期のサブキャリア割当情報と上り回線品質測定部１０８により測定された上り回線品質情報に基づき、比較的短周期にサブキャリアの割り当てを決定することにより、上位装置１０と各移動体通信基地局１００間の情報量を軽減でき簡易な上位装置１０で各移動体通信基地局１００を統合できると共に、各移動体通信基地局１００は割り当てられたサブキャリアのみを扱えば良く、送受信処理を軽減することができるという効果が得られる。
【産業上の利用可能性】
【０１２３】
以上のように、この発明に係る移動体通信システムは、例えば一つの無線回路を実装した移動体通信端末と複数の移動体通信基地局間のマルチキャリア無線通信を、周波数切替や時間切替が不要で、簡単な構成で、かつ低いコストで実現するものに適している。
【図１】
2007138650.tif 000003
【図２】
2007138650.tif 000004
【図３】
2007138650.tif 000005
【図４】
2007138650.tif 000006
【図５】
2007138650.tif 000007
【図６】
2007138650.tif 000008
【国際調査報告】
2007138650.tif 000009
2007138650.tif 000010
2007138650.tif 000011
2007138650.tif 000012